(57)【要約】  本発明に係るフィンアセンブリは、基部を有するフィンと、少なくとも１つのソケット取付台とを含むフィンアセンブリであって、基部が、該基部から延びる少なくとも１つの延長部を有し、少なくとも１つの延長部には少なくとも１つの係合部が取り付けられており、前記少なくとも１つのソケット取付台は、フィンが取り付けられる船艇内に実質的に常設されるものであり、フィン上の延長部および係合部に対応し相補する少なくとも１つの開口部であって少なくとも１つの延長部および係合部がそれぞれに収容される開口部と、ソケット取付台に対してフィンを取り外し可能に取り付けるための少なくとも一つの固定手段とを有する。【選択図】  図１
2009542507.tif 000002
【特許請求の範囲】
【請求項１】
基部を有するフィンと、少なくとも１つのソケット取付台とを含むフィンアセンブリであって、
前記基部が、該基部から延びる少なくとも１つの延長部と、前記少なくとも１つの延長部から延びる、該延長部より高さの低い当接肩部を有する少なくとも１つの係合部とを有しており、
前記少なくとも１つのソケット取付台は、前記フィンが取り付けられる船艇内に実質的に常設されるものであり、前記フィン上の前記延長部および前記係合部に対応し相補する少なくとも１つの開口部であって前記少なくとも１つの延長部および係合部がそれぞれに収容される開口部と、前記少なくとも一つの係合部の前記当接肩部を当接させることにより前記ソケット取付台に対して前記フィンを取り外し可能に取り付けるための少なくとも一つの固定手段と、前記固定手段を収容するための少なくとも１つの開口部とを有する、フィンアセンブリ。
【請求項２】
前記少なくとも１つの延長部および前記少なくとも１つの係合部が、前記ソケット取付台内の前記少なくとも１つの開口部内に収容されて保持される固着部を形成する、請求項１に記載のフィンアセンブリ。
【請求項３】
前記フィンが、先端部と、基縁部と、前記先端部から前記基縁部まで延びる対向する主面と、通常の使用法での走行方向に基づく前縁部および後縁部と、を有する、請求項１または請求項２に記載のフィンアセンブリ。
【請求項４】
前記フィンの前記基縁部が、適切にかつしっかりと前記船艇に装着された場合、前記船艇の外側底面に当接するように構成されている、請求項１〜３のいずれか一項に記載のフィンアセンブリ。
【請求項５】
１対の固着部が設けられており、第１の前記固着部は前記基縁部の前記前縁部側の端部から間隔を置いて配置されており、第２の前記固着部は前記基縁部の前記後縁部側の端部から間隔を置いて配置されている、請求項４に記載のフィンアセンブリ。
【請求項６】
前記各延長部が前記フィンと同一平面上にある、請求項１〜５のいずれか一項に記載のフィンアセンブリ。
【請求項７】
前記延長部が前記フィンと一体的に形成されている、請求項１〜６のいずれか一項に記載のフィンアセンブリ。
【請求項８】
前記延長部が、前記フィンの前記基縁部から延びておりかつ前記フィンの幅より幅が狭くなっており、前記船艇の下面に隣接させる前記フィンをより効果的に位置合わせする肩部が設けられている、請求項２〜７のいずれか一項に記載のフィンアセンブリ。
【請求項９】
前記少なくとも１つの係合部が、前記延長部に対して取り付けられて、前記延長部に対してある角度を有して延在している、請求項１〜８のいずれか一項に記載のフィンアセンブリ。
【請求項１０】
前記係合部が前記延長部から略垂直に延びている、請求項９に記載のフィンアセンブリ。
【請求項１１】
前記少なくとも１つの係合部が、前記延長部の一方の側面上に延びるように取り付けられている、請求項１〜１０のいずれか一項に記載のフィンアセンブリ。
【請求項１２】
前記係合部のそれぞれが細長い部材を含む、請求項１〜１１のいずれか一項に記載のフィンアセンブリ。
【請求項１３】
前記ソケット取付台それぞれが、前記船艇に対して取り付けられた際に最も外側の面が略円筒状の本体を有する、請求項１〜１２のいずれか一項に記載のフィンアセンブリ。
【請求項１４】
前記ソケット取付台が、前記船艇上に前記ソケット取付台を位置づけるのを補助する少なくとも１つの位置決め突起を含む、請求項１〜１３のいずれか一項に記載のフィンアセンブリ。
【請求項１５】
各ソケット取付台には、その最も外側の面に、略矩形の主スロット開口部が設けられている、請求項１３または１４のいずれか一項に記載のフィンアセンブリ。
【請求項１６】
前記主スロット開口部が、前記船艇の長さ方向に平行に配置されている、請求項１５に記載のフィンアセンブリ。
【請求項１７】
前記主スロット開口部と結合されてＴ字状の開口部を形成する、横方向に延びるスロット開口部を更に含む、請求項１５または１６のいずれか一項に記載のフィンアセンブリ。
【請求項１８】
最上面から延びて、前記横方向に延びるスロット開口部と交差し、前記フィンの前記係合部が適切に配置された際に前記係合部と係合する、斜めに延びる開口部を更に含む、請求項１７に記載のフィンアセンブリ。
【請求項１９】
前記斜めに延びる開口部が、取り外し可能な固定手段を収容し、前記横方向に延びるスロット開口部内に前記係合部を固定し、それにより前記フィンを前記ボードに固定するようになっている、請求項１８に記載のフィンアセンブリ。
【請求項２０】
前記固定手段が収容される前記ソケット取付台内の前記斜めに延びる開口部の端部開口が、その開口に圧入された中子栓で閉じられて、その上面と前記プラグの表面とが平坦になっている、請求項１８に記載のフィンアセンブリ。
【請求項２１】
基部を有するフィンと、少なくとも１つのソケット取付台とを含むフィンアセンブリであって、
前記基部が、少なくとも１つの固着部を有し、前記少なくとも１つの固着部が前記基部から延びる少なくとも１つの延長部を含み、前記少なくとも１つの延長部のそれぞれには少なくとも１つの係合部が取り付けられており、
前記少なくとも１つのソケット取付台は、前記フィンが取り付けられる船艇内に実質的に常設されるものであり、前記フィン上の前記少なくとも１つの固着部に対応し相補する少なくとも１つの開口部であって前記少なくとも１つの固着部がそれぞれに収容される開口部と、前記ソケット取付台に対してフィンを取り外し可能に取り付けるための固定手段とを有する、フィンアセンブリ。
【請求項２２】
前記フィンが、先端部と、基縁部と、前記先端部から前記基縁部まで延びている対向する主面と、通常の使用法での走行方向に基づく前縁部および後縁部と、を有し、１対の固着部であって、第１の前記固着部は前記基縁部の前記前縁部側の端部から間隔を置いて配置されており、第２の前記固着部は前記基縁部の前記後縁部側の端部から間隔を置いて配置されている前記１対の固着部を更に含む、請求項２１に記載のフィンアセンブリ。
【発明の詳細な説明】
【発明の技術分野】
【０００１】
本発明は船艇に関し、より詳しくは、取り外し可能なフィンにしっかりと装着されるフィンアセンブリに関する。
【０００２】
本発明は特にサーフボード用のフィンアセンブリに関し、便宜上、本願に関連する発明を以下において説明する。ただし、本発明がより広い範囲に適用できることは、明確に理解されるべきである。それは、例えば、帆艇、パドルスキーおよびサーフスキー等の他の船艇にまで及ぶ。便宜上、このような船を以下では「ボード」と総称する。
【背景技術】
【０００３】
この分野における従来の発明の１つが、米国特許第６１３９３８３号に開示されており、この文献には、従来技術のシステムの要約およびそれらの問題点のいくつかが含まれている。米国特許第６１３９３８３号の背景技術の欄の一部を、以下にその言葉のまま再現する。
【０００４】
「サーフボードは、広範には、浮力材料の心材と、サーファーを支えるための上側ライド面と、水中に入れられる下面と、を有する本体を備える。１つ以上のフィンが、本体の下面に取り付けられる。従来より、フィンは、本体上のガラス繊維で覆われることによって、本体に対して永久的に取り付けられてきた。
サーフボードにフィンを永久的に取り付けることの欠点は、フィンが損傷した際にフィンを容易に取り外して交換することができないことである。さらに、異なるタイプのフィンによる実験をおこなうことができるようにするために、フィンをボードから取り外して異なる性能特性を有する別のフィンに交換することが容易にはできない。さらに、サーフボードを運ぶ際に、フィンは比較的不格好であり大きなスペースを占める。したがって、このような状況では、ボードの本体からフィンを取り外すことができれば好都合である。
取り外し可能なフィンアセンブリが開発されており、これは、オーストラリア特許第６６５８０４号に記載されている。このフィンアセンブリは、フィンの基部から外側に突出している２つの薄い矩形タブを有するフィンを備える。このようなタブはそれぞれ、サーフボード本体の底面に取り付けられた円板状プラグのソケット内に収容される。フィンのタブは、タブを締め付けるグラブねじなどの対向する固定要素によってプラグ内に着脱可能にロックされる。しかし、このアセンブリには強度に限界がある。
このフィンアセンブリには他にも欠点がある。例えば、このフィンアセンブリは、サーフボード本体の上に取り付けられるために、精密な作業を必要とする。これは、フィンの装着手段の装着および解除を容易にするために、離間された２つのプラグを、２つのフィン装着要素と結合できるように正確な距離だけ離間させる必要があるからである。さらに、数多くのグラブねじが各フィンを固定するために使用されるため、ボードにフィンを取り付けるのに時間がかかる。
このフィンアセンブリの更なる特徴は、本体装着要素の底部から本体の心材を通ってサーフボードの上側ライド面へと延びる樹脂プラグである。この樹脂プラグは、フィン装着要素に対しある程度の支持を提供し、フィン装着要素がサーフボード本体上に安定した状態で取り付けられるのを補助する。しかしながら、使用後、この樹脂プラグは、サーフボードのライド面を覆うガラス繊維コーティングに作用する傾向がある。これは見苦しく、ボードの内部心材への水漏れの原因となる。ライド面内にこのように形成された切れ目によって、ライダーが負傷する恐れがある。
このような配置に伴うその他の欠点としては、フィン本体がタブを越えて前方および後方に突出し、使用時には、フィン本体のこれらの部分が底面に当接する関係、若しくは底面に隣接して配置されることである。」
【０００５】
当該技術において有用性を高めるためには、フィンアセンブリは、据付けが簡単であり、比較的安価に製造でき、必要なときにしっかりと固定される一方で必要なときに取り外しが簡単になるべきである。
【０００６】
従来技術の刊行物が本明細書において言及されることがあっても、この言及によって、その刊行物が、オーストラリアまたはその他の国における当該技術の共通の一般的な知識の一部を形成することを容認するものではないことを、明確に理解されたい。
【発明の概要】
【０００７】
本発明は、少なくとも部分的に上述した欠点の少なくとも１つを克服することができる、または、有用なまたは商業上の選択を提供する、フィンアセンブリに関する。
【０００８】
一形態において、本発明は、取付基部を有するフィンと、少なくとも１つのソケット取付台とを含むフィンアセンブリであって、該取付基部が、少なくとも１つの固着部を有し、該少なくとも１つの固着部が該取付基部から延びる少なくとも１つの延長部を含み、少なくとも１つの延長部のそれぞれには少なくとも１つの係合部が取り付けられており、少なくとも１つのソケット取付台は、フィンが取り付けられる船艇内に常設されるものであり、フィン上の少なくとも１つの固着部に対応し相補する少なくとも１つの開口部であって少なくとも１つの固着部がそれぞれに収容される開口部と、ソケット取付台に対してフィンを取り外し可能に固定するための固定手段とを有するものである。
【０００９】
更なる形態では、本発明は、基部を有するフィンと、少なくとも１つのソケット取付台とを含むフィンアセンブリであって、該基部が、該基部から延びる少なくとも１つの延長部を有し、少なくとも１つの延長部には少なくとも１つの係合部が取り付けられており、少なくとも１つの基部は、フィンが取り付けられる船艇内に常設するための少なくとも１つのソケット取付台は、フィン上の延長部および係合部に対応し相補する少なくとも１つの開口部であって少なくとも１つの延長部および係合部がそれぞれに収容される開口部と、ソケット取付台に対してフィンを取り外し可能に固定するための固定手段とを有するものである。
【００１０】
上述の通り、本発明のフィンアセンブリは、サーフボードでの使用に特によく適用されるが、フィンが設けられたいかなる船艇にも適用可能である。本フィンアセンブリは、取り外し可能にフィンをボードに装着するために、通常、フィンとフィンのための取付用アセンブリとを含む。同一のボード上に、１つ以上のフィンアセンブリを設けてもよい。例えば、公知のタイプのサーフボードには、ボードの後方の幅方向に沿って横方向に離間配置された３つのフィンが設けられており、中央のフィンは外側の２つのフィンの後方に配置されている。
【００１１】
本発明は、ボードに固定されたときに向きが固定されるフィンを装着するように特によく適用されるが、当業者が十分に理解できる範囲内の比較的軽微な変更を加えた同様のシステムは、枢動式または回転式のフィンに適用することもできる。
【００１２】
本発明は、フィンを含むフィンアセンブリである。フィンは、フィンとしての使用に適した任意の構造を有することができる。フィンは、通常、先端部と、該先端部から延びる対向する主面とを有する。このフィンは、通常、ガラス繊維、プラスチックまたはそれに類似するもののような剛性材料で製造されるが、過去には金属フィンが使用されていた。明らかに、フィンが使用される条件では、耐食性材料が好ましいため、一般的に金属は使用しない。このフィンは、典型的には、通常の使用法での走行方向に基づく前縁部と後縁部とを有する。
【００１３】
好ましい実施形態のフィンは、取付基部を含む。フィンは、通常、フィンの先端部のおおよそ反対側にある基縁部を有する。基縁部は、略平面であって、フィンの前縁部および後縁部、すなわち「フィン面」に対して略垂直である。この点に関し、フィン面に対して垂直以外の角度にある基縁部を有するフィンは公知であり、本発明のアセンブリはそのようなタイプのフィンを装着するためにも同様に使用できることに、留意されたい。
【００１４】
フィンの基縁部は、通常、適切にかつしっかりと船艇に装着された場合、船艇の外側下面に当接するように構成されている。
【００１５】
好ましい実施形態のフィンの取付基部は、ボードに対するフィンの固着を容易にするために、少なくとも１つの固着部を有する。この少なくとも１つの固着部は、普通、アセンブリのソケット取付台の開口部内に収容されて保持される１つ以上の雄部を含む。
【００１６】
本発明に従って使用される固着部は１つであってもよいが、より均一でより優れた負荷の分散がおこなわれるので２つ以上用いることが好ましい。好ましくは、１対の固着部が用いられ、第１の固着部は基縁部の前縁部側の端部のほうに配置され、第２の固着部は基縁部の後縁部側の端部のほうに配置される。固着部のそれぞれは、通常、それぞれの前縁部および後縁部から間隔を置いて配置される。
【００１７】
この接合に関して、１つの固着部を用いることもできるが、それは複数の固着部よりは好ましくないことに、留意されたい。
【００１８】
好ましい実施形態の固着部は、取付基部から延びる少なくとも１つの延長部を含み、各少なくとも１つの延長部には少なくとも１つの係合部が取り付けられている。
【００１９】
延長部はフィン面に略垂直に延びてもよいが、同一平面上にある延長部のほうが好ましい。また、延長部はフィン自体と一体的に形成されもよく、一般的には、フィン自体と同時にかつフィン自体と同一材料で形成されることが、好ましい。
【００２０】
各延長部は、好ましくは略矩形であるが、任意の形状を採用することもできる。矩形の延長部を設けることにより、延長部は、取付基部からフィンの諸部分を削除することで形成できるようになる。
【００２１】
延長部は、普通はフィンの基縁部から延びて、典型的にはフィン自体と同様の幅を有する。延長部はフィンの幅より僅かに幅が狭くてもよく、それにより、船艇の下面に隣接させるフィンをより効果的に位置合わせする肩部が設けられる。この延長部は「タブ」部とも称される。
【００２２】
各延長部は、少なくとも１つの係合部を含む。各少なくとも１つの係合部は、好ましくは延長部に対して取り付けられており、延長部および／またはフィンに対し、ある角度を有して延びている。係合部は、好ましくは延長部から略垂直に延びており、それにより、固定手段が利用できる長さを最大にすることができる。
【００２３】
係合部は、延長部すなわちタブ部の、一方の側面上または両側面上に延びるように取り付えることができる。係合部は、延長部と略同一平面内において、延長部の前方もしくは後方にまたはその両方向に延びてもよい。
【００２４】
好ましい一実施形態によれば、係合部は、係合部とは別に形成されてもよく、あるいは、フィンアセンブリの部品点数を削減するためまたはアセンブリの強度を改善するために、これと一体的に形成されてもよい。延長部には、その内部にまたは内部を貫通する開口部を設けることができ、係合部は、その開口部内にまたは該開口部を貫通するように配置することができる。この方法が用いられる際、係合部を開口部内に固着するには任意の適切な方法を利用することができるが、より好ましくは接着剤かそれに類似するものを利用する。係合部の一部を螺合させて、延長部と係合させることもできる。
【００２５】
係合部のそれぞれは、細長い部材であってもよく、実質的には略棒状またはピン状であってよい。係合部は角柱形状や円筒形状、その他の任意の断面形状を有するものであってもよい。
【００２６】
本発明のフィンアセンブリはまた、フィンが取り付けられる船艇内に常設するための少なくとも１つのソケット取付台を含み、各ソケット取付台はフィン上の少なくとも１つの固着部に対応し相補する少なくとも１つの開口部を有しており、少なくとも１つの固着部は各開口部内において収容されるとともに着脱可能に固定される。
【００２７】
フィンアセンブリは、フィンが取り付けられる船艇内に常設するための少なくとも１つのソケット取付台を含み、ソケット取付台は、フィン上の少なくとも１つの固着部に対応し相補する少なくとも１つの開口部を有しており、それにより、少なくとも１つの固着部は各開口部内において収容される。これらのソケット取付台は「プラグ」とも称される。
【００２８】
プラグのそれぞれは、ポリカーボネートなどの適切な材料でモールド成型された略円筒状の本体を有することが好ましい。プラグの円筒外表面には、ボードに対してより確実に固定できるように、周方向に延びるリブ部を設けることができる。
【００２９】
１つ以上の位置決め突起も設けることができる。位置決め突起が設けられる際、使用に際してプラグが正しく位置決めされるように寸法設計される。
【００３０】
各プラグには、その円形上面に、略矩形の主スロット開口部が設けられる。主スロット開口部は、通常、ボードの長さ方向に対して平行に配置され、プラグはこれが達成される位置でボードに固定される。
【００３１】
横方向に延びるスロット開口部も設けられることが好ましく、このスロット開口部は主スロット開口部と結合されて、Ｔ字状の開口部を形成することが好ましい。開口部の形状および構造は、フィンの固着部の延長部および係合部の形状および構造に対応するように成形されるとともに寸法設計される。
【００３２】
各プラグにはまた、斜めに延びる開口部すなわちねじ穴が設けられる。このねじ穴は、面から延びて、横方向に延びるスロット開口部と交差し、好ましくは横方向に延びるスロット開口部の下部で交差する。これは、この部分がフィンの固着部が適切に配置された際に位置する部分だからである。好ましくは、この穴には、固定手段、最も好ましくはグラブねじかそれに類似するもの、が入れられて、横方向に延びるスロット開口部内に係合部を固定し、それによって、フィンをボードに固定する。適切に使用された場合、グラブねじは、典型的にはフィンの固着部の係合部の上に重なるようにして当接し、横方向に延びるスロット開口部内に係合部を保持する。斜めに延びる開口部すなわちねじ穴は、プラグ内において前方または後方へ延びてもよい。
【００３３】
プラグは、好ましくはボードおよびプラグの材料と相性のよい材料から選択されたポリエステル樹脂またはその他の接着剤によって、ボードに穿設された円形穴内に固着される。これらの穴は、ボード製造時の任意の都合のよい段階で形成することができるが、特にボードのガラス掛けの後に穿設することができ、それにより、ボード製造時の仕上げステップを単純化することができる。穴が円形であることは必須ではないが、ハンドドリルを使用でき、適切な治具やテンプレートを併用してボード内に穴を迅速かつ正確に配置することができるため、穴は円形であることが好ましい。
【００３４】
好ましい形態では、各フィンには２つのプラグが設けられ、各フィンには、フィンのベースから下方へ延びるとともにプラグ間の距離と同一の距離だけ離間された１対の固着部が設けられる。これらの固着部は、プラグのスロット内に締り嵌めできるように寸法決めされている。この固着部をスロットに圧入することによりフィンがボード上に取り付けられ、そして、横方向に延びるスロット開口部内にある係合部に当たるようにグラブねじが深くねじ込まれることにより位置固定される。グラブねじがねじ込まれるプラグ内の穴の端部開口は、その上面とプラグの表面とが平坦となるように、中子栓で閉じてもよい。
【００３５】
このようにして、製造の簡素化と軽量および強度とを兼ね備えたフィンの取り付けが実現され、フィンボックスを用いた場合よりも、組み立ておよび分解がより容易になる。プラグによりボードの表面に対して平坦で途切れのない表面が提供され、さらにプラグがボード表面とともに研磨および仕上げがおこなわれ得るため、ボード製造の最終仕上げステップを作業者や装置の邪魔になるフィン無しで実施することができ、それにより、経費が節減されるとともにより良い仕上げが得られ、従来技術の配置にあった流体力学的な不具合を回避することができる。
【００３６】
本発明の様々な実施形態を、図面を参照して説明する。
【図面の簡単な説明】
【００３７】
【図１】フィンを装着するための１対のソケット取付台を有するフィンアセンブリの好ましい一実施形態を示した斜視図である。
【図２】図１に示した好ましい実施形態の詳細な斜視図である。
【図３】図１に示した好ましい実施形態のフィンアセンブリであって、一方のソケット取付台が係合され、もう一方が係合されていない状態を示した側立面図である。
【図４】図３に示したフィンアセンブリの好ましい実施形態であって、両方のソケット取付台とも係合されていない状態を示した正面図である。
【図５】図１に示したフィンアセンブリの詳細な部分断面図である。
【図６】本発明の好ましい一実施形態に係るソケット取付台の斜視図である。
【図７】図６に示したソケット取付台の側立面図である。
【図８】図６に示したソケット取付台の端立面図である。
【好ましい実施形態の詳細な説明】
【００３８】
本発明の好ましい態様によれば、フィンアセンブリが提供される。
【００３９】
そのフィンアセンブリは、特に図１〜５に示したように、フィン１０を含む。フィンは、先端部１１と、該先端部１１から延びる対向する主面１２とを有する。フィン１０は、ガラス繊維、プラスチックまたは類似物などの堅固な材料から製造される。フィン１０は、通常の使用法での走行の方向に基づく前縁部１３および後縁部１４を有する。
【００４０】
図示の実施形態のフィンは取付基縁部１５を有し、取付基縁部１５は１対の固着部１６を有する。各固着部１６は、フィン１０の取付基縁部１５から延びる延長部１７と係合部１８とを含む。
【００４１】
フィン１０の基縁部１５は、一般的にはフィン１０の先端部１１の反対側に設けられる。基縁部１５は、略平面であって、フィン１０の前縁部１３および後縁部１４、すなわち主たる「フィン平面」に対して略垂直である。
【００４２】
フィン１０の基縁部１５は、適切にしっかりと船艇に装着される場合、船艇の外側底面に当接するように構成されている。
【００４３】
１対の固着部１６は、図示した実施形態に沿って用いられ、第１の固着部は基縁部１５の前縁部側の端部のほうに配置され、第２の固着部は基縁部１５の後縁部側の端部のほうに配置される。固着部１６のそれぞれは、前縁部１３および後縁部１４それぞれから間隔が置かれている。
【００４４】
図示した実施形態の延長部１７は、フィン１０の基縁部１５から、フィン平面と同一平面内に延びている。延長部１７は、フィン１０自体と一体的に形成されており、一般的には、フィン１０自体と同時にかつ同一材料で形成される。
【００４５】
各延長部１７は略矩形となっているが、他の形状を採用することもできる。図示したような矩形延長部を設けることで、延長部１７は、隣接する取付基縁部１５からフィンの諸部分を削除することによって形成できる。
【００４６】
延長部１７は、通常はフィン１０自体と同様の幅となっている。延長部はフィンの幅よりもわずかに狭くしてもよく、それにより、船艇の下面に隣接させるフィンをより効果的に位置合わせする肩部が設けられる。
【００４７】
各延長部１７は少なくとも１つの係合部１８を含んでいる。各係合部１８は、延長部１７に対して取り付けられており、延長部１７および／またはフィン１０に対し、ある角度を有して延びている。図示の実施形態では、各係合部１８は、延長部１７から略垂直方向に延びており、それにより、固定手段が利用できる長さを最大にすることができる。
【００４８】
図示した実施形態の係合部１８は、延長部１７の一方の側面上に延びるように取り付けられている。
【００４９】
図示した実施形態では、係合部１８は係合部１７とは別に形成されている。延長部１７にはその内部に開口部が設けられており、そしてその開口部内に係合部を配置させるようにすることもできる。この方法を利用する際、係合部１８を開口部内に固着するのには任意の適切な方法を利用することができるが、より好ましくは接着剤かそれに類似するものを利用する。係合部１８の一部を螺合させて、延長部と係合させることもできる。
【００５０】
係合部１８のそれぞれは、細長い部材であって、実質的には棒状またはピン状である。
【００５１】
図示の実施形態のフィンアセンブリはまた、図６〜８に示すような特にフィン１０が取り付けられる船艇内に常設するためのソケット取付台１９やプラグを含み、各ソケット取付台１９はフィン１０上の固着部１６の形状に対応し相補する開口部を有しており、それにより、固着部１６は各開口部内において収容されるとともに着脱可能に固定される。これらのソケット取付台は「プラグ」とも称される。
【００５２】
プラグ１９のそれぞれは、ポリカーボネートなどの適切な材料でモールド成型された略円筒状の本体を有する。プラグの円筒外表面には、ボードに対してより確実に固定できるように、周方向に延びるリブ部２０を設けることができる。
【００５３】
１つ以上の位置決め突起２１も設けられ、使用に際して、プラグ１９が正しく位置決めされるように寸法設計されている。
【００５４】
各プラグ１９には、その円形上面２３に、略矩形の主スロット開口部２２が設けられている。主スロット開口部２２は、ボードの長さ方向に対して平行に配置され、プラグ１９はこれが達成される位置でボードに固定される。
【００５５】
横方向に延びるスロット開口部２４も設けられており、このスロット開口部２４は、主スロット開口部２２と結合されて、開口部がＴ字状となるように形成されている。開口部の形状および構造は、フィン１０の固着部１６の延長部１７および係合部１８の形状および構造に対応するように成形されるとともに寸法設計されている。
【００５６】
各プラグ１９には、また、斜めに延びる開口部すなわちねじ穴２５が設けられている。このねじ穴２５は、面２３から延びて、横方向に延びるスロット開口部２４の下部において該スロット開口部２４と交差しており、これは、この部分がフィン１０の固着部１６の係合部１８が適切に配置された際に位置する部分だからである。この穴２５には、固定手段、最も好ましくはグラブねじ２６かそれに類似するもの、が入れられて、横方向に延びるスロット開口部２４内に係合部１８を固定し、それによってフィン１０をボードに固定する。適切に使用された場合、グラブねじ２６は、フィン１０の固着部１６の係合部１８の上に重なるようにして当接し、横方向に延びるスロット開口部２４内に該係合部１８を保持する。
【００５７】
プラグ１９は、ボードおよびプラグの材料と相性のよい材料から選択されたポリエステル樹脂またはその他の接着剤によって、ボードに穿設された円形穴内に固着される。これらの穴は、ボード製造時の任意の都合のよい段階で形成することができるが、特にボードのガラス掛けの後に穿設してもよく、それにより、ボード製造時の仕上げステップを単純化することができる。穴が円形であることは必須ではないが、ハンドドリルを使用することができ、適切な治具やテンプレートを併用してボード内に穴を迅速かつ正確に配置することができるため、穴は円形であることが好ましい。
【００５８】
図示した形態では、各フィン１０には２つのプラグ１９が設けられ、各フィン１０には、フィン１０のベースから下方へ延びるとともにプラグ１９間の距離と同一の距離だけ離間された１対の固着部１６が設けられている。これらの固着部１６は、プラグ１９の開口部内に締り嵌めできるように寸法決めされている。この固着部１６を開口部に圧入することによりフィン１０がボード上に取り付けられ、そして、横方向に延びるスロット開口部２４内にある係合部１８に当たるようにグラブねじ２６が深くねじ込まれることにより位置固定される。グラブねじ２６がねじ込まれるプラグ１９内のねじ穴２５の端部開口は、その上面とプラグ１９の表面とが平坦となるように、中子栓（ｃｏｒｅ  ｐｌｕｇ）で閉じてもよい。
【００５９】
このようにして、製造の簡素化と軽量および強度とを兼ね備えたフィンの取り付けが実現され、フィンボックスを用いた場合よりも、組み立ておよび分解がより容易になる。プラグによりボードの表面に対して平坦で途切れのない表面が提供され、さらにプラグがボード表面とともに研磨および仕上げがおこなわれ得るため、ボード製造の最終仕上げステップを作業者や装置の邪魔になるフィン無しで実施することができ、それにより、経費が節減されるとともにより良い仕上げが得られ、従来技術の配置にあった流体力学的な不具合を回避することができる。
【００６０】
本明細書および請求項（もしある場合には）において、「備え（ｃｏｍｐｒｉｓｉｎｇ）」という語および「備える（ｃｏｍｐｒｉｓｅｓ、ｄｏｍｐｒｉｓｅ）」を含む派生語は、示された符号（番号群）で表されたものそれぞれを含むが、更なる１つ以上の符号で表されたものを含むことを除外するものではない。
【００６１】
本明細書全体にわたって、「一実施形態」や「ある実施形態」を参照するということは、その実施形態に関連して説明されるある特定の形状や構造、特性が、本発明の少なくとも１つの実施形態に含まれることを意味する。したがって、本明細書の様々な箇所において見られる「一実施形態において」や「ある実施形態において」というフレーズは、必ずしも全て同一の実施形態を参照しているわけではない。さらに、それらの特定の形状や構造、特性は、１つ以上の組合せで任意の適切なやり方で組み合わすことができる。
【図１】
2009542507.tif 000003
【図２】
2009542507.tif 000004
【図３】
2009542507.tif 000005
【図４】
2009542507.tif 000006
【図５】
2009542507.tif 000007
【図６】
2009542507.tif 000008
【図７】
2009542507.tif 000009
【図８】
2009542507.tif 000010
【国際調査報告】
2009542507.tif 000011
2009542507.tif 000012
2009542507.tif 000013